(57)【要約】【課題】ＩＣカードの使用時に無応答をなくし、使用に際しホルダから取り出すことなく、使用することができる電磁誘導型ＩＣカード用ホルダ、電磁誘導型ＩＣカード用収容具及びホルダ内に収容された電磁誘導型ＩＣカードの使用方法を提供すること。【解決手段】１辺にＩＣカードの出し入れ口を有し、２枚の電磁誘導型ＩＣカードを収容する非導電体製ＩＣカードケース本体２内に電磁遮蔽材料からなる仕切り板３を２枚のＩＣカード間に介在して位置するように設け、ＩＣカードケース本体２内にＩＣカードを収容した状態で質問器と交信させたとき、仕切り板３により質問器と対向するＩＣカードのみが交信状態になるように電波の通過を阻止するように構成した電磁誘導型ＩＣカード用ケース。【選択図】　　　図２
2004102473.tif 000002
【特許請求の範囲】
【請求項１】
複数枚のＩＣカードを収容可能な非導電性材料からなるＩＣカードケース本体と、
前記ＩＣカードケース本体内を、それぞれ少なくとも１枚の前記ＩＣカードを収容可能な複数の区画に区分する仕切り板とからなるＩＣカード用ケースにおいて、
前記ＩＣカードケース本体内を区分する前記仕切り板が電磁遮蔽材料からなることを特徴とする電磁誘導型ＩＣカード用ケース。
【請求項２】
前記区画が３つ以上あり、前記区画のうち外側の区画を構成する仕切り板が電磁遮蔽材料からなることを特徴とする請求項１記載の電磁誘導型ＩＣカード用ケース。
【請求項３】
前記各区画は、個別の又は共通のＩＣカード出し入れ口を有することを特徴とする請求項１又は２記載の電磁誘導型ＩＣカード用ケース。
【請求項４】
複数枚のＩＣカードを収容可能な非導電性材料からなるＩＣカードケース本体と、
前記ＩＣカードケース内を、それぞれ少なくとも１枚の前記ＩＣカードを収容可能な複数の区画に区分する電磁遮蔽材料からなる仕切り板とからなるＩＣカード用ケースと、
前記ＩＣカード用ケースを複数部重ね、各前記ＩＣカード用ケースのコーナ部にて１点で回動自在に綴じた集合体と
を具備してなることを特徴とする電磁誘導型ＩＣカード用収容具。
【請求項５】
複数枚のＩＣカードを収容可能な非導電性材料からなるＩＣカードケース本体と、
前記ＩＣカードケース内を、それぞれ少なくとも１枚の前記ＩＣカードを収容可能な複数の区画に区分する電磁遮蔽材料からなる仕切り板とからなるＩＣカード用ケースと、
前記ＩＣカード用ケースを複数部重ね、各前記ＩＣカード用ホルダの１辺を本綴じにして各ＩＣカード用ケースを本開きできるようにした集合体と
を具備してなることを特徴とする電磁誘導型ＩＣカード用収容具。
【請求項６】
複数枚のＩＣカードを収容可能な非導電性材料からなるＩＣカードケース本体と、
前記ＩＣカードケース内を、それぞれ少なくとも１枚の前記ＩＣカードを収容可能な複数の区画に区分する電磁遮蔽材料からなる仕切り板とからなるＩＣカード用ケースと、
１辺に前記ＩＣカード用ケースの出し入れ口を有し、前記ＩＣカード用ケースが複数部収容される非導電体製ホルダと、
前記非導電体製ホルダに前記ＩＣカード用ケースが収容されたとき前記ホルダ内から１部の前記ＩＣカード用ケースを選択して取り出しできるように前記各ＩＣカード用ケースに設けられた付箋と
を具備してなることを特徴とする電磁誘導型ＩＣカード用収容具。
【請求項７】
前記ホルダ内には、１部の前記ＩＣカード用ケース毎に収容できるように隔壁が設けられていることを特徴とする請求項６記載の電磁誘導型ＩＣカード用収容具。
【発明の詳細な説明】
【０００１】
【発明の属する技術分野】
本発明は、電磁誘導型ＩＣカード用ケース及び電磁誘導型ＩＣカード用収容具に関する。
【０００２】
【従来の技術】
従来、一時に多数の情報を処理するのに好適な手段としてＩＣカードが、実用されている。ＩＣカードによる交信は、固定体側を質問器とし、移動体側を応答器としたデータキャリアにより非接触で交信するもので、瞬時に交信が完了するために一時に多数の情報を処理するのに好適な手段として評価されている。
【０００３】
このため、ＩＣカードは、国民基本台帳カードを始めＶＩＳＡカード、健康保険用カード、診察カード、各社食堂の利用カード、各デパートや各スーパーマーケットの会員カード、各銀行、各証券会社の会員カードなどに採用され、今後さらに拡張する傾向にある。利用者は、常時これら多数枚のＩＣカードを重ねて一つのケースに入れた状態で携帯し、例えば鉄道の自動改札機の予め定められた交信位置に当接させて自動改札機を通過している。ところが、最近ＩＣカードを利用した場合、自動改札機で警報音が鳴り、ゲートが開かない場合が多い。この現象について詳査した結果、現在主として実用されているＩＣカードの伝送方式は電磁誘導方式であり、同一伝送方式のＩＣカードが多数枚、重なって収容されていると、各ＩＣカードのアンテナが自動改札機に設けられた質問器から送信された電磁波を受信してしまい、全てのＩＣカードが無応答状態になってしまうことがわかった。
【０００４】
即ち、ＩＣカードの利用者中に多数枚のＩＣカードを重ねた状態で使用する利用者がいた場合、自動改札機による交信は、無応答期間が１分間以上続く場合と、完全に無応答状態になってしまう場合があって、依然として利用者の長蛇の列を作ってしまう課題があった。従来、ＩＣカードは携帯状態において外来電波により破壊される可能性があると言われた時期があり、外来電波によるＩＣカードの破壊防止手段としては、ＩＣカード保管用ホルダの材質を電波遮蔽材により形成して、外来電波がＩＣカードに入射するのを阻止する提案がある。（例えば特許文献１、特許文献２参照。）。
【０００５】
【特許文献１】
特開平１１−１８４９９３号公報（第４頁　段落番号００１８、図４）
【特許文献２】
特開２０００−２０６６０号公報（第５頁　段落番号００１２、図１）
【０００６】
【発明が解決しようとする課題】
しかしながら、これらの文献に記載されたＩＣカード保管用ケースは、ケース内に電波が入射しないようにケース材が電波を遮蔽する材料で形成されているため、ＩＣカードを使用する都度ＩＣカード保管ケースから使用するＩＣカードを抜き出して使用する必要がある。ＩＣカードは、混雑する場所で使用するためのものであるため、このようなケースは、ケースから取り出して使用した後、再び、ケースに収容するなどの操作が煩わしいという課題がある。特に、身の廻りにカバンや荷物を所持していた場合、このような操作をしなければならないことは、不注意でＩＣカードを落したり、無くすこともあり望ましくない。また、現実問題として、外来電波により破壊するＩＣカードは、見当たらなかった。
【０００７】
従って、利用者からは、ケース内に複数枚のＩＣカードを収容していても、ＩＣカードの使用時に無応答になるのをなくし、使用に際しホルダからＩＣカードを取り出す操作をすることなく、使用することができるケースが要望されている。
【０００８】
本発明は、かかる従来の問題を解決すべくなされたもので、ＩＣカードの使用時に複数枚のＩＣカードの混信による無応答をなくし、使用に際しケースから取り出すことなく、使用することができる電磁誘導型ＩＣカード用ケース及び電磁誘導型ＩＣカード用収容具を提供することを目的とする。
【０００９】
【課題を解決するための手段】
本発明は、上記目的を達成するため、次のような構成によりＩＣカードの使用時に複数枚のＩＣカードの混信による無応答をなくし、使用に際しホルダから取り出すことなく、使用することができる電磁誘導型ＩＣカード用ケース及び電磁誘導型ＩＣカード用収容具を提供するものである。
【００１０】
即ち、本発明の電磁誘導型ＩＣカード用ケースは、複数枚のＩＣカードを収容可能な非導電性材料からなるＩＣカードケース本体と、前記ＩＣカードケース本体内を、それぞれ少なくとも１枚の前記ＩＣカードを収容可能な複数の区画に区分する仕切り板とからなるＩＣカード用ケースにおいて、前記ＩＣカードケース本体内を区分する前記仕切り板が電磁遮蔽材料からなることを特徴とする。この発明によれば、ＩＣカードの使用時に無応答をなくし、使用に際しホルダから取り出すことなく、使用することができる。
【００１１】
前記区画が３つ以上あり、前記区画のうち外側の区画を構成する仕切り板は電磁遮蔽材料により構成されので、質問器に対向させたＩＣカードのみが応答し、ケース内に複数枚のＩＣカードが収容されていても無応答を無くすことができ、自動改札などで無応答による渋滞がなくなる。
【００１２】
前記各区画は、個別の又は共通のＩＣカード出し入れ口を有するので、１部のケース内に多数枚のＩＣカードを収容してもＩＣカードの使用時に無応答をなくし、多数枚のＩＣカードを収容した状態で使用することができる。
【００１３】
本発明の電磁誘導型ＩＣカード用収容具は、複数枚のＩＣカードを収容可能な非導電性材料からなるＩＣカードケース本体と、前記ＩＣカードケース内を、それぞれ少なくとも１枚の前記ＩＣカードを収容可能な複数の区画に区分する電磁遮蔽材料からなる仕切り板とからなるＩＣカード用ケースと、前記ＩＣカード用ケースを複数部重ね、各前記ＩＣカード用ケースのコーナ部にて１点で回動自在に綴じた集合体とを具備してなることを特徴とする。この発明によれば、複数部のケースを重ねて１点で回動自在に綴じたので、１部のケース毎に２枚のＩＣカードを収容しても、ケース数を増加すれば多数枚のＩＣカードを収容することができ、使用時に回動操作により無応答をなくし、使用に際し収容具からケースを取り出すことなく、回動操作により使用することができる。
【００１４】
本発明の電磁誘導型ＩＣカード用収容具は、複数枚のＩＣカードを収容可能な非導電性材料からなるＩＣカードケース本体と、前記ＩＣカードケース内を、それぞれ少なくとも１枚の前記ＩＣカードを収容可能な複数の区画に区分する電磁遮蔽材料からなる仕切り板とからなるＩＣカード用ケースと、前記ＩＣカード用ケースを複数部重ね、各前記ＩＣカード用ホルダの１辺を本綴じにして各ＩＣカード用ケースを本開きできるようにした集合体とを具備してなることを特徴とする。この発明によれば、複数部のケースを本綴じにしたので、多数枚のＩＣカードを収容することができ、１部のケース毎に２枚のＩＣカードを収容しても、ケース数を増加すれば多数枚のＩＣカードを収容することができ、使用時に回動操作により無応答をなくし、使用に際し収容具からＩＣカード用ケースを取り出すことなく、本開きすることにより選択されたＩＣカードが収容されたＩＣカード用ケースを開き使用することができる。さらに、利用者がカバンや荷物を所持していても、片手で容易に対象とするＩＣカード用ケースを探し、使用することができる。さらに、他のケースをばらさないためＩＣカード用ケースやＩＣカードを落とすことなく使用することができる。
【００１５】
本発明の電磁誘導型ＩＣカード用収容具は、複数枚のＩＣカードを収容可能な非導電性材料からなるＩＣカードケース本体と、前記ＩＣカードケース内を、それぞれ少なくとも１枚の前記ＩＣカードを収容可能な複数の区画に区分する電磁遮蔽材料からなる仕切り板とからなるＩＣカード用ケースと、１辺に前記ＩＣカード用ケースの出し入れ口を有し、前記ＩＣカード用ケースが複数部収容される非導電体製ホルダと、前記非導電体製ホルダに前記ＩＣカード用ケースが収容されたとき前記ホルダ内から１部の前記ＩＣカード用ケースを選択して取り出しできるように前記各ＩＣカード用ケースに設けられた付箋とを具備してなることを特徴とする。この発明によれば、この付箋にＩＣカードの名称を記すことができ、多数枚収容されたＩＣカードから所望するＩＣカードが収容されたＩＣカード用ケースを迅速に選択して使用することができる。
【００１６】
前記収容具内には、１部のＩＣカード用ケース毎に収容できるように隔壁が設けられているので、１部のＩＣカード用ケースを選択して取り出すことができる。
【００１７】
ＩＣカード用ケース内に収容された電磁誘導型ＩＣカードの使用方法は、ＩＣカードが前記ＩＣカード用ケース内に収容された状態で使用する前記ＩＣカード面が予め定められた交信位置に設けられて交信されて、無応答になることなく使用される。ＩＣカードは、質問器と応答器間の交信において、移動体側の応答器として利用されるもので、主として利用者が携帯して使用するが、移動体であれば物流体、動物、自動車、船などに取着して利用できる。質問器と応答器間の情報の伝送方式には、現在最も利用されている電磁誘導方式、電磁結合方式、マイクロ波方式、光通信方式などがあるが、この発明は、電磁誘導方式におけるＩＣカード用ケース及び電磁誘導型ＩＣカード用収容具である。ＩＣカード用ケースは、ＩＣカードの携帯に際し、複数枚のＩＣカードを入れるものである。
【００１８】
電磁遮蔽材料からなる仕切り板は、複数枚のＩＣカードが重ねて携帯されているとき、選択された１枚のＩＣカードのみが質問器と交信するように電波の通過をブロックするものである。仕切り板３の材質は、電磁遮蔽効果を有するもので導電体であり、例えばアモルファスカーボン、パーマロイ、電磁干渉抑制体「バスタレイド（Ｒ４Ｎタイプ）−（ＮＥＣ／トーキン社商品名）、フィルムインピーダ（Ｅ５０タイプ）（ＮＥＣ／トーキン社商品名）などが最適であり、さらに他の導電体は例えばアルミニュウム、銅、鉄、錫、ニッケル、マグネシウムなどである。電磁干渉抑制体は、特開平７−２１２０７９号公報に記載されたもので、導電体上に軟磁性体粉末と有機結合剤を含む絶縁性軟磁性体層を設けたシートである。仕切り板は、板状でも、シート状でも、クロス状でも、柔軟屈曲性のものでもいずれでもよい。
【００１９】
【発明の実施の形態】
次に、本発明の電磁誘導型ＩＣカード用ケース及び電磁誘導型ＩＣカード用収容具の実施形態を説明する。先ず、電磁誘導型ＩＣカード用ケースの実施形態を図１乃至図４を参照して説明する。
【００２０】
電磁誘導型ＩＣカード用ケース１は、複数枚の電磁誘導型ＩＣカードを収容するＩＣカードケース本体２と、このＩＣカードケース本体２内に設けられ質問器と交信する１枚のＩＣカードを選択するように電波の通過を阻止するための電磁遮蔽材料からなる仕切り板３とから構成されている。ＩＣカードケース本体２は、ＩＣカードが方形状の場合、方形状のケースで、材質は電波を通過させる非導電体例えばプラスチックで柔軟性のある塩化ビニル樹脂が最適で、この他に革、布などがある。このＩＣカードケース本体２は、複数枚のＩＣカード例えば２枚のＩＣカードを収容する内容積を有するものである。図１は、長尺の塩化ビニル樹脂のシートが２つ折され、側縁部が圧着されてＩＣカードケース本体２が形成された状態が示めされている。ＩＣカードケース本体２は、２枚の方形状シートの１辺をＩＣカードの出し入れ口とし、他の３辺を接着してケース本体にしてもよい。ＩＣカードケース本体２とは、ＩＣカードを収容するものである。
【００２１】
仕切り板３は、ＩＣカードケース本体２内に収容されるＩＣカードの収容部を複数の区画に区分するように設けられ、１枚又は複数枚設けられる。一つのＩＣカードケース本体２内に２枚のＩＣカードが設けられる場合が最適でありこのケースにおいて、仕切り板３は、２枚のＩＣカード間に１枚介在して設けられる。この場合、仕切り板３とＩＣカードケース本体２の内壁面４，５とで形成される隙間は、１枚のＩＣカードが収容される内容積に構成される。ＩＣカードケース本体２内に設けられる仕切り板３は、ＩＣカードケース本体２内に収容される２枚のＩＣカード間に介在して設けられ、使用しないＩＣカードのアンテナに入射する電波を遮断し、使用するＩＣカードが応答するように作用する。
【００２２】
従って、仕切り板３は、ＩＣカードケース本体２内に入れただけでもよいが、この場合ＩＣカードを出し入れしたとき、仕切り板３が損傷する可能性がある。このような仕切り板３がクチャクチャになるのを回避するためには、図１に示すようにＩＣカードケース本体２の側縁部７，８で仕切り板３を取着例えば圧着して固定することが望ましい。さらに、仕切り板３の端部は、ＩＣカードケース本体２内の側縁部７、８及び底部６で取着例えば圧着してもよい。仕切り板３の材質は、電波を通過させないもので、入射する電波を吸収するもの、入射する電波を反射させるものなどいずれでもよい。
【００２３】
仕切り板３は、導電体のみによるシートでもよいが、使い易さから樹脂例えば図２（ａ）のように塩化ビニール樹脂シート３００上に電磁遮蔽効果を有する材料層３０１を付着して上記仕切り板３を形成してもよい。この電磁遮蔽効果を有する材料層３０１の付着手段は、例えば真空蒸着、スパッタ、ＣＶＤ、塗布などの方法で形成することができる。仕切り板３が、カードの出し入れ操作により剥がれる可能性がある場合には、図２（ｂ）に示すように塩化ビニール樹脂シート３０２，３０３間に電磁遮蔽効果を有する材料層３０１を介在させてサンドイッチ構造にし、塩化ビニール樹脂シート３０２，３０３の周縁で対接する部分を熱圧着して仕切り板３を形成したものでもよい。図２（ａ），（ｂ）は、図１の仕切り板３の他の実施形態を説明するための拡大図である。さらに、仕切り板３は、導電体粉が非導電体材料に混在したものでもよいし、糸状導電体により網目状、布状に編まれたクロスでもよく、入射する電波をブロックする性質を有するものであればよい。
【００２４】
電磁遮蔽効果を有する材料層３０１の大きさは、ＩＣカードのアンテナより大きく、電磁遮蔽効果を有する材料層３０１はＩＣカードケース本体２内で仕切り板３の表裏に収容される各ＩＣカードの各アンテナを被うように設けられる。従って、電磁遮蔽効果を有する材料層３０１の大きさは、仕切り板３の表裏に収容されるＩＣカードのアンテナを被う必要があるため、ＩＣカードケース本体２内のＩＣカード収容面積に等しい大きさに形成されることが望ましい。
【００２５】
図１の実施形態では、ＩＣカードケース本体２のＩＣカード出し入れ口９，１０において、入れたＩＣカードをＩＣカードケース本体２から取り出すとき手の指が入りにくく、ＩＣカードを出しにくい構造について説明したが、図３に示すように仕切り板３の表裏面側に形成されるＩＣカードケース本体２の端部１２，１３をＩＣカード１４，１５より短くしてＩＣカード１４，１５の端部を露出させて手の指で取り出せるように形成することが望ましい。図３は、ＩＣカード１４，１５がＩＣカードケース本体２から端部が露出した状態を説明するための断面図である。図１と同一部分には、図３に同一符号を付与し、その詳細な説明を省略する。この場合、仕切り板３が屈曲しないように形状保護手段を設けることが望ましい。この形状保護手段は、例えば厚手の板体を裏当てするか、縁を厚くするなどの手段である。
【００２６】
また、ケース１は、さらにＩＣカード１４，１５を取り出し易くするために図３のように構成することもできる。図４は、ＩＣカードケース本体２の表裏面でＩＣカード１４，１５の出し入れ口９，１０を反対方向に構成したケース１を説明するための断面図である。図１、図３と同一部分には、図４に同一符号を付与し、その詳細な説明を省略する。ＩＣカードケース本体２の表裏面でＩＣカード１４，１５の出し入れ口９，１０を反対方向に構成したケース１は、仕切り板３に形状保護手段を設けなくても使用することができる。
【００２７】
ケース１内に２枚以上多数枚のＩＣカードを入れてもよいが、この場合、使用する１枚のＩＣカードをケース１の一方の面に移動し、使用しない複数のＩＣカードを、ケース１の他方の面に移動してケース１を使用する必要がある。このようにして、仕切り板３は、使用するＩＣカードのみが質問器と交信するように選択する。
【００２８】
次に、このようなケース１により多数枚のＩＣカードを収容する収容具の実施形態を図５乃至図９を参照して説明する。図１〜図４と同一部分には、同一符号を付与し、その詳細な説明を省略する。図５は、複数部の各ケース１の１辺例えば各底部６で本綴じ例えば袋入りアルバム状に圧着して、各ケース１内に２枚のＩＣカード１４，１５を収容するようにした収容具の状態を示している。使用する１枚のＩＣカードを選択する場合、当該ＩＣカードが入っているケース１を捲って選択し、選択されたケース１の使用するＩＣカード１４又は１５を質問器に対向させることにより交信することができる。
【００２９】
さらに、図６に示すように複数部のケース１の底部６でコーナ部にて各ケース１が回動できるようにピン２１で束ねてＩＣカードの収容具を構成してもよい。このようにピン２１で束ねた複数部のケース１を束ねたＩＣカードの収容具を使用する場合、使用するＩＣカードが収容されたケース１は、図７のようにピン２１を回転中心として回転させることにより使用する１枚のケース１を選択し、使用するＩＣカードを質問器に対向させて使用することができる。
【００３０】
さらに、多数部のケース１は、図８及び図９に示すようにホルダ２５からなるＩＣカードの収容具に入れて多数枚のＩＣカードを携帯することができる。図８において、ホルダ２５内には、複数例えば４枚の棚２６を設けられ、各棚２６には夫々１部のケース１が収容されている。各ケース１の例えば上端には、各ケース１内に収容されているＩＣカードの名称が記載された付箋２８が突出して設けられている。このように多数枚のケース１は、一つのホルダ２５内に収容することができる。利用者は、ケースに入れて多数枚のＩＣカードを携帯することができる。このケース１は、電波を通過させる材質例えば非金属の塩化ビニル樹脂により形成することにより最上段の棚２６又は最下段の棚２６に使用するケース１を移動させ、このケース１内の使用するＩＣカードを外側に向けて収容することによりホルダ２５内に多数枚のＩＣカードを入れた状態で無応答になることなく、良好に質問器と交信することができる。
【００３１】
図８の実施形態で、付箋２８を設けるため携帯や使用に際し、付箋２８がポケットなどにひっかかり不便な場合がある。このような場合には、図９に示すように収容状態において、各ホルダの名称が露出するように各ホルダの出し入れ口３２を階段状に位置をずらしたホルダ３１によるＩＣカードの収容具が望ましい。このホルダ３１は、各ホルダの出し入れ口３２を階段状に位置をずらして複数のケース収容箱３３を積み重ねて一体に設け、下段側のケースがケース収容箱３３内に隠れないように各ケース収容箱３３の底部３４をＩＣカードの大きさに合わせたものである。
【００３２】
このような構造のホルダ３１は、各ケース１に付箋２８を設けなくても、各ＩＣカードの名称部分を露出させることにより、利用者が一覧表として閲覧することができ、使用するＩＣカードを迅速に検索することができる。各ＩＣカードの名称部分を露出とは、ＩＣカードの名称部分が露出するように加工されたホルダ３１でもよし、ホルダ３１が透明体により形成されたものでも、利用者が各ＩＣカードの名称部分を読めればよい。
【００３３】
次に、ホルダ内に収容された電磁誘導型ＩＣカードの使用方法の実施形態について図１を参照して説明する。利用者は、ＩＣカード例えば鉄道のＩＣカードによる定期券をケース１のＩＣカード出し入れ口９から挿入し、ＡスーパーマーケットのＩＣカードによる会員カードをＩＣカード出し入れ口１０から挿入して収容したケース１を携帯する。利用者は、通勤で駅の自動改札機を通過する際、図１に示すケース１の下側の定期券を自動改札機の予め定められた設置位置面に接触させると、自動改札機内の質問器と定期券の応答器との交信が電磁誘導方式により行われる。
【００３４】
この交信される情報は、定期券に記憶されている乗車区間情報、有効期間情報、氏名情報、年齢情報などが質問器に読込まれ、演算して許諾されるとゲートを開ける処理が行われる。このとき、ケース１内には、仕切り板３が定期券とＡスーパーマーケットの会員券との間に設けられているため、電磁遮蔽材料からなる仕切り板３において、質問器からの誘導電磁界がブロックされ、Ａスーパーマーケットの会員券は受信することができない状態となる。従って、定期券及び上記会員券は、ケース１又はホルダ３１内に複数枚収容していても無応答とならず、受信した定期券のみが応答する状態となる。
【００３５】
また、利用者が、Ａスーパーマーケットへ買物に行ったとき、カート用端末の予め定められた設置位置面に図１のケース１のＡスーパーマーケット用会員券が収容されている上面を下方にして接触させる。この結果、カート用端末に内蔵されている質問器と会員券との交信が電磁誘導方式により行われる。
【００３６】
この交信される情報は、会員券に記憶されている会員番号情報、氏名情報、住所情報などが質問器に読込まれ、演算して許諾されると会員券による買物が許諾されるメッセージがカート用端末の表示部に表示される。このとき、ケース１内には、仕切り板３がＡスーパーマーケットの会員券と定期券との間に設けられているため、仕切り板３において、質問器からの誘導電磁界がブロックされ、定期券は受信することができない状態となる。従って、上記会員券及び定期券は、無応答とならず、受信したＡスーパーマーケットの会員券のみが応答する状態となる。このように会員券及び定期券は、使用時にケース１から取り出すことなく質問器と交信することができる。
【００３７】
次に、上記ＩＣカードの構成及び電磁誘導方式による交信について、図１０を参照して説明する。
【００３８】
ＩＣカード４０は、絶縁基板上に大きさ例えば８５ｍｍ×５５ｍｍ厚さ例えば１．３ｍｍで、平面アンテナ４１とＩＣチップ４２が内蔵された応答器である。このＩＣカード４０のアンテナ４１と誘導電磁界を情報伝送媒体として交信する質問器４３は、アンテナ４４と質問回路４５とからなる。ＩＣカード４０のアンテナ４１は、例えばＩＣカード４０の大きさ一杯に形成されるループコイルアンテナである。このアンテナ４１には、ＩＣチップ４２が接続され、このＩＣチップ４２は復調回路及び変調回路からなる送受信回路５１と、制御回路５２と、メモリ５３とからなる応答回路である。応答器と交信する質問器４３は、アンテナ４４に接続された送信周波数例えば１３．５６ＭＨｚを発振する発信器５４と、送受信回路５５と、制御回路５６と、メモリ５７とが接続された回路である。
【００３９】
ＩＣカード４０が、予め定められた質問器４３の交信エリアに設置されると、質問器４３は読出しのための情報で予め定められた送信周波数１３．５６ＭＨｚを周波数変調した変調信号をアンテナ４４に供給することにより発生した誘導電磁界をアンテナ４４から送信する。この送信された誘導電磁界をＩＣカード４０のアンテナ４１で受信し、送受信回路５１の復調回路で復調して、要求された情報を制御回路５２はメモリ５３から読出す。制御回路５２は読出した情報を送受信回路５１の変調回路で変調してアンテナ４１を介して質問器４３に誘導電磁界を情報伝送媒体として送信する。
【００４０】
質問器４３は、アンテナ４４により送信された誘導電磁界を受信し、送受信回路５５の復調回路で復調し、制御回路５６は受信信号についてメモリ５７に記憶する。制御回路５６は、メモリ５７から受信信号と予め記憶された標準の信号を読出し、比較してＩＣカード４０の現在の状態を評価する。質問器４３とＩＣカード４０とは、このようにして交信する。ＩＣカード４０は、交通機関の定期券であったり、ＶＩＳＡカードであったりする。例えば交通機関の定期券は、上記交信により、定期券の有効期間、行先などの確認を行い、自動改札機のゲートを開けたり、閉めたりする。
【００４１】
以上説明したように上記実施形態によれば、１辺にＩＣカードの出し入れ口を有し、２枚の電磁誘導型ＩＣカードを収容する非導電体製ＩＣカードケース本体２内に電磁遮蔽材料からなる仕切り板３を２枚のＩＣカード間に介在して位置するように設け、ＩＣカードケース本体２内にＩＣカードを収容した状態で質問器と交信させたとき、仕切り板３により質問器と対向するＩＣカードのみが交信状態になるように電波の通過を阻止するように構成した電磁誘導型ＩＣカード用ケースおよびこのケースの収容具を得ることができる。さらに、多数枚のＩＣカードを重ねて収容した状態で最上段又は最下段のＩＣカードを使用しても仕切り板により電磁遮蔽されているので無応答がなくなり、使用に際しホルダから取り出すことなく、使用することができる。
【００４２】
上記実施形態では、１枚のＩＣカードケース本体２内に２枚のＩＣカードを入れた実施形態について説明したが、図１１に示すように１枚のＩＣカードケース本体２内にＩＣカードを２枚以上入れてもよい。図１と同一部分には図１１に同一符号を付与してその詳細な説明を省略する。このＩＣカードの収容法では、ＩＣカードケース本体２内が１枚の仕切り板３により分割されて形成されたＩＣカード収容部６１，６２の一方のＩＣカード収容部６１に使用するＩＣカード６３を収容し、ＩＣカード収容部６２に保存する複数枚のＩＣカード６４，６５が収容される。
【００４３】
さらに、上記実施形態では、仕切り板３を１枚入れて２室のＩＣカード収容部６１，６２にした実施形態について説明したが、仕切り板３は複数枚入れてＩＣカード収容部を３つ以上に分離してもよい。図１２は、ＩＣカード収容部を３つにした実施形態を説明するための図である。図１及び図１１と同一部分には、図１２に同一符号を付与してその詳細な説明を省略する。
【００４４】
この場合の電磁誘導型ＩＣカード用ケース１は、図１２に示すように１枚のＩＣカードケース本体２内に２枚の電磁遮蔽材料からなる仕切り板６７，６８を設けて、ＩＣカードケース本体２内を３室のＩＣカード収容部６１，６２，６９にしたものである。このケース１は、ＩＣカード収容部６１に使用するＩＣカード６３を入れ、ＩＣカード収容部６２に使用するＩＣカード６４を入れ、ＩＣカード収容部６９に保存するＩＣカード６５，７０を入れることにより、ＩＣカードケース本体２内からＩＣカードを出さずにＩＣカード６３，６４の２枚のＩＣカードを使用することができる。このようなＩＣカードの収容は、通勤定期の利用であれば、鉄道の定期とバスの定期、鉄道の分割買いした２枚の定期の利用などの利用法において有効である。
【００４５】
【発明の効果】
この発明によれば、多数枚のＩＣカードを重ねて収容した状態で使用しても複数枚のＩＣカードの混信による無応答がなくなり、使用に際しホルダから取り出すことなく、使用することができる。
【図面の簡単な説明】
【図１】本発明の電磁誘導型ＩＣカード用ホルダの実施形態を説明するための斜視図。
【図２】図１の受信分離シートの他の実施形態を説明するための受信分離シートの拡大断面図。
【図３】図１の他の実施形態を説明するための電磁誘導型ＩＣカード用ホルダの断面図。
【図４】図１の他の実施形態を説明するための電磁誘導型ＩＣカード用ホルダの断面図。
【図５】図１のケースを本綴じ状に束ねた状態を説明するための正面図。
【図６】図４の他の実施形態を説明するための斜視図。
【図７】図５の束ねたカードケース本体の選択された１枚を回動した状態を説明するための斜視図。
【図８】図１の多数枚のカードケース本体を収容するためのケースを説明するための斜視図。
【図９】図７の他の実施形態を説明するための斜視図。
【図１０】図２のＩＣカードの構成及びこのＩＣカードと交信する質問器の構成を説明するための回路構成図である。
【図１１】図１のケースに収容するＩＣカードの他の収容法を説明するためのホルダの一部切欠拡大断面図。
【図１２】図１の他の実施形態を説明するためのケースの一部切欠拡大断面図。
【符号の説明】
１…カード用ケース、２…ＩＣカードケース本体、３，６７，６８…仕切り板、４，５…内壁面、６，３４…底部、７，８…側縁部、９，１０…出し入れ口、１２，１３…ＩＣカードケース本体の端部、１４，１５，４０，６３，６４，６５，７０…ＩＣカード、２１…ピン、２５，３１…ホルダ、２６…棚、２８…付箋、３２…出し入れ口、３３…ケース収容箱、４１，４４…アンテナ、４２…ＩＣチップ、４３…質問器、４５…質問回路、５１，５５…送受信回路、５２，５６…制御回路、５３，５７…メモリ、６１，６２，６９…カード収容部、３００…塩化ビニール樹脂シート、３０１…電磁遮蔽効果を有する材料層、３０２，３０３…塩化ビニール樹脂シート。
【図１】
2004102473.tif 000003
【図２】
2004102473.tif 000004
【図３】
2004102473.tif 000005
【図４】
2004102473.tif 000006
【図５】
2004102473.tif 000007
【図６】
2004102473.tif 000008
【図７】
2004102473.tif 000009
【図８】
2004102473.tif 000010
【図９】
2004102473.tif 000011
【図１０】
2004102473.tif 000012
【図１１】
2004102473.tif 000013
【図１２】
2004102473.tif 000014